(57)【要約】【課題】発音ユニットのサイズの自由度を高める。【解決手段】発音ユニット１０におけるリード１２の配設ピッチＰ２は、鍵盤ＫＢにおける鍵Ｋの配設ピッチＰ１と異なり、配設ピッチＰ２は配設ピッチＰ１より狭い。そして、鍵Ｋとリード１２との間に駆動機構部Ｍが介在し、駆動機構部Ｍは、鍵Ｋへの押下力によって対応するリード１２を駆動して発音させる連動部材２５を有する。【選択図】図１
2018072706.tif 000002
【特許請求の範囲】
【請求項１】
複数の鍵と、
基部、及び、前記複数の各鍵に対応して前記基部から延設され発音可能な複数の発音体を有し、前記複数の発音体の配設ピッチが前記複数の鍵の配設ピッチとは異なる発音ユニットと、
前記複数の各発音体に対応して設けられ、前記鍵への押下力によって対応する発音体を駆動して発音させる発音体駆動部を有し、前記複数の各鍵の本体部と該各鍵に対応する発音体との間に介在する駆動機構部と、を有することを特徴とする鍵盤楽器。
【請求項２】
前記駆動機構部は、回転軸の周りに回転可能に前記複数の各発音体に対応して設けられた複数の回転体と、前記複数の各鍵に対応して設けられ対応する鍵によって駆動される回転体駆動部とを有し、
前記発音体駆動部の機能は、前記回転体に設けられた複数の突起部が果たし、
前記各鍵が押下操作されると、前記各鍵を押下する押下力によって前記回転体駆動部が対応する前記回転体の前記突起部の１つを駆動して前記回転体を回転させ、駆動された前記突起部とは別の突起部が、対応する発音体を駆動することを特徴とする請求項１に記載の鍵盤楽器。
【請求項３】
前記駆動機構部は、前記複数の各鍵に対応する前記回転体駆動部として、前記各鍵の移動に伴って延設方向に変位するフレキシブルワイヤを有し、
前記各鍵が押下操作されると、押下力によって前記フレキシブルワイヤの先端が前記回転体の前記突起部を駆動して前記回転体を回転させることを特徴とする請求項２に記載の鍵盤楽器。
【請求項４】
前記回転体を、駆動による回転方向とは反対方向に回転しないようにするための逆転防止手段を有することを特徴とする請求項２または３に記載の鍵盤楽器。
【請求項５】
前記複数の発音体の配設ピッチの方が前記複数の鍵の配設ピッチより狭いことを特徴とする請求項１〜４のいずれか１項に記載の鍵盤楽器。
【発明の詳細な説明】
【技術分野】
【０００１】
本発明は、鍵に対応して設けられるリード等の発音体を発音させる鍵盤楽器に関する。
【背景技術】
【０００２】
従来、演奏データ等に基づく電気信号に応じて、リード等の発音体を発音させるようにしたオルゴール型等の演奏装置が知られている。例えば、下記特許文献１の発音装置では、発音体としてのリードに対応して複数のハンマを設けると共に、ソレノイドコイルをターンテーブル上に設け、プログラム制御によって、ターンテーブルを回転させてソレノイドコイルの打撃体で複数のハンマの被打撃部を選択的に打撃することで、ハンマを介してリードを駆動するようにしている。また、オルゴール装置のリードを鍵盤の鍵の操作によって発音させる試みもなされている（下記非特許文献１）。非特許文献１では、スターホイールをモータで回転させ、鍵操作でリードを発音させる構造を開示している。
【先行技術文献】
【特許文献】
【０００３】
【特許文献１】特開平１１−２１９１７０号公報
【非特許文献】
【０００４】
【非特許文献１】“長島研究所-オルゴールと自動楽器”、［online］、オルゴール〔平成２８年１０月３日検索〕、インターネット＜ＵＲＬ：http://www.nagashima-lab.com/?page_id=192＞
【発明の概要】
【発明が解決しようとする課題】
【０００５】
鍵の操作によってリードを発音させる鍵盤楽器を考える場合、リードのピッチを鍵に合わせて特注すると、特別な工程が必要となったり、製造時の歩留まりが低くなったりしてコスト面で現実的でない。そのため、発音ユニットとして採用できるオルゴールの選択の自由度は高くない。なお、上記非特許文献１のように、リードを駆動するために、鍵からリードまでの間に電気的な動作をする構成を介在させると、電源、モータ、アクチュエータ、コントローラ等の補器類も必要となり、楽器が大型化するという不利がある。
【０００６】
本発明は上記従来技術の問題を解決するためになされたものであり、その目的は、発音ユニットのサイズの自由度を高めることができる鍵盤楽器を提供することにある。
【課題を解決するための手段】
【０００７】
上記目的を達成するために本発明の請求項１の鍵盤楽器は、複数の鍵と、基部（１１）、及び、前記複数の各鍵に対応して前記基部から延設され発音可能な複数の発音体（１２）を有し、前記複数の発音体の配設ピッチが前記複数の鍵の配設ピッチとは異なる発音ユニット（１０）と、前記複数の各発音体に対応して設けられ、前記鍵への押下力によって対応する発音体を駆動して発音させる発音体駆動部（２５、３２）を有し、前記複数の各鍵の本体部（Ｋａ）と該各鍵に対応する発音体との間に介在する駆動機構部（Ｍ）と、を有することを特徴とする。なお、上記括弧内の符号は例示である。
【発明の効果】
【０００８】
本発明の請求項１によれば、発音ユニットのサイズの自由度を高めることができる。
【０００９】
請求項２によれば、発音体のピッチの狭い発音ユニットの採用が容易になる。請求項３によれば、設計の自由度を高めることができる。請求項４によれば、逆回転をより確実に防止してより確実且つ適切な発音を行える。請求項５によれば、入手容易な発音ユニットを利用することができる。
【図面の簡単な説明】
【００１０】
【図１】一実施の形態に係る鍵盤楽器の要部の平面図である。
【図２】鍵盤楽器の要部の側面図（図（ａ））、駆動機構部の平面図（図（ｂ）、（ｃ））である。
【図３】第１の変形例におけるリードの先端付近の模式的な側面図である。
【図４】第２の変形例における駆動機構部び発音ユニットの模式的な側面図である。
【発明を実施するための形態】
【００１１】
以下、図面を参照して本発明の実施の形態を説明する。
【００１２】
図１は、本発明の一実施の形態に係る鍵盤楽器の要部の平面図である。この鍵盤楽器は、複数の鍵Ｋとして白鍵ＷＫ及び黒鍵ＢＫを含む鍵盤ＫＢを有する。この鍵盤楽器は、鍵Ｋに対応して設けられる発音体であるリード１２を鍵Ｋの操作によって振動させて発音させるように構成される。鍵Ｋの並び方向を左右方向とし、鍵Ｋの長手方向を前後方向とする。鍵盤ＫＢは、複数の鍵Ｋ（例えば、１オクターブ分）が一体となった鍵ユニットを複数有し、図１では２つの鍵ユニット（２オクターブ分）を図示する。また、鍵盤楽器は、発音ユニット１０を複数有する。本実施の形態では、発音ユニット１０は、例えば２オクターブを単位として構成される。なお、鍵盤ＫＢの音域は例示の例に限定されない。また、発音ユニット１０も２オクターブを単位することに限定されず、発音ユニット１０の数も複数であってもよい。
【００１３】
図２（ａ）は、鍵盤楽器の要部の側面図である。複数の鍵ユニットの構成は同様であるので、１つの鍵ユニットについて説明する。図１、図２（ａ）に示すように、鍵ユニットは１つの共通基端部２０を有する。共通基端部２０は楽器本体に固定的な部分、例えば下ケース（不図示）に支持される。鍵Ｋの各々は、薄肉のヒンジ部２１を有し、ヒンジ部２１が共通基端部２０に接続されている。非操作状態では、ヒンジ部２１が撓まない状態であり、鍵Ｋの各々は非押鍵位置にある。ヒンジ部２１が弾性によって撓むことで鍵Ｋは共通基端部２０に対して回動（揺動）自在となっている。さらに、各鍵Ｋの押鍵方向の変位終了位置を規制するストッパ（図示せず）が下ケースに設けられている。押鍵操作されると各鍵Ｋの前端部が下方に揺動し、離鍵操作されると前端部が上方に揺動して非押鍵位置へ復帰する。
【００１４】
発音ユニット１０は基部１１を有し、基部１１からは、発音音高の異なる複数本のリード１２が櫛歯状に延設されている。基部１１は、下ケースに固定される。発音ユニット１０は、基部１１及び複数本のリード１２を含んで金属等で一体に形成される。各リード１２は音高に応じてその長さや幅が異なり、前後方向における自由端部の位置はほぼ同じになっている。
【００１５】
図１に示すように、鍵盤ＫＢにおける鍵Ｋの配設ピッチはＰ１である。発音ユニット１０におけるリード１２の配設ピッチはＰ２である。リード１２の配設ピッチＰ２の方が鍵Ｋの配設ピッチＰ１より狭い。ここで、リード１２についての配設ピッチは、リード１２の幅方向（左右方向）中央位置同士の距離で定義される。一方、鍵Ｋについての配設ピッチは、鍵Ｋの長手方向（前後方向）の黒鍵ＢＫの配設範囲における鍵Ｋの幅方向中央位置同士の距離で定義される。リード１２の配設ピッチが均等でない場合、配設ピッチを平均ピッチで定義してもよい。
【００１６】
各鍵Ｋの本体部Ｋａと、対応するリード１２との間には、鍵Ｋへの押下力によって対応するリード１２を駆動して発音させるための駆動機構部Ｍが介在する（図２（ａ））。駆動機構部Ｍは、電気的でなくリンク機構等のメカニカルな機構である。この駆動機構部Ｍについて、図２（ｂ）、（ｃ）を加えて説明する。
【００１７】
図２（ｂ）、（ｃ）はいずれも、駆動機構部Ｍの平面図である。図２（ｂ）、（ｃ）では、代表して２つの異なる音高に関する駆動機構部Ｍを示している。各鍵Ｋの下方には、対応するリード１２を弾くための連動部材２５を有する駆動機構部Ｍが配置される。各鍵Ｋに対応する連動部材２５の基本構成は共通であるが、音高によって主に平面視の形状が異なる。連動部材２５は、回動軸２４から後方へ真っ直ぐに伸びるが、それより後方の部分は対応するリード１２へ向かうように屈曲している。連動部材２５の屈曲部からの傾斜角度によって、連動部材２５の先端位置をリード１２の配設ピッチＰ２と合わせることができるので、リード１２の配設ピッチＰ２の自由度が高い。従って、発音ユニット１０としては市販のものを利用可能である。
【００１８】
各連動部材２５は、回動軸２４を中心に回動自在に配設される。回動軸２４は下ケースに支持される。鍵Ｋの本体部Ｋａからは垂下部２３が垂下形成され、垂下部２３に連動部材２５の前端部が係合しており、連動部材２５は鍵Ｋと連動して回動する。鍵Ｋが押下操作されると、対応する連動部材２５の先端が上昇し、対応するリード１２を駆動する。これによりリード１２が振動して発音する。
【００１９】
本実施の形態によれば、リード１２の配設ピッチＰ２が鍵Ｋの配設ピッチＰ１と異なる。そして、鍵Ｋの本体部Ｋａとリード１２との間に駆動機構部Ｍが介在し、駆動機構部Ｍは、鍵Ｋへの押下力によって対応するリード１２を駆動して発音させる連動部材２５を有する。これにより、リード１２の配設ピッチの制約が少なくなるため、採用する発音ユニット１０のサイズの自由度を高めることができる。また、電気的な動作をする構成を設けなくてよいので、電源、モータ、アクチュエータ、コントローラ等の補器類も不要となり、楽器の大型化を回避することができる。特に、配設ピッチＰ１よりも配設ピッチＰ２の方が狭いので、発音ユニット１０として、市販のオルゴール等の入手容易なものを利用することができる。
【００２０】
なお、発音ユニット１０のサイズの自由度を高めるという観点に限れば、リード１２の配設ピッチＰ２が鍵Ｋの配設ピッチＰ１と異なればよく、配設ピッチＰ２が配設ピッチＰ１より広くてもよい。
【００２１】
図３、図４で変形例を説明する。図３は、第１の変形例の鍵盤楽器におけるリード１２の先端付近の模式的な側面図である。図１に示した例では、リード１２を駆動する発音体駆動部として、鍵Ｋと連動する連動部材２５を示した。しかし、発音体駆動部は、リード１２に対応して設けられ、鍵Ｋへの押下力によって対応するリード１２を駆動して発音させる構成であればよい。第１の変形例では、駆動機構部Ｍとして、図１の構成に対して鍵Ｋごとのロータリーピック３０が加わる。その他の構成は図１で説明したのと同様である。
【００２２】
リード１２の先端部に近接して回転体であるロータリーピック３０が各リード１２に対応して配設される。各ロータリーピック３０は、共通の回転軸３３の周りに回転可能に軸支されており、回転軸３３を中心として各々独立して滑らかに回転することができる。台座１８には、板バネで構成されるスプリング１９の下端部がロータリーピック３０に対応して固定されている。回転軸３３及び台座１８は下ケース（不図示）に支持される。
【００２３】
ロータリーピック３０は金属製の薄板で側面視略円形状に構成され、その外周部には、複数（例えば４つ）の突起部３２が一体に形成される。ロータリーピック３０には、側面視形状が矩形（四角形）のカム部３１が左右両側に固定的に設けられると共に、カム部３１の外面にスプリング１９の自由端部が圧接している。スプリング１９は金属等の板状弾性部材で構成される。なお、カム部３１を付勢できるものであればよく、スプリング１９に限定されるものではない。カム部３１とスプリング１９との係合による逆回転防止の機能は、特開２００３−２８０６５９号公報等に開示されているのと同様である。ロータリーピック３０は、実質的に一方向（図３でいう時計方向）にのみ回転する。
【００２４】
通常の押鍵操作によって、ロータリーピック３０は、図３の時計方向に回転する。突起部３２は、連動部材２５から駆動力を受ける被駆動部としての機能と、リード１２を駆動する発音体駆動部としての機能とを併せ持つ。連動部材２５は、突起部３２を駆動してロータリーピック３０を回転させる回転体駆動部としての機能を果たす。突起部３２の、回転方向後ろ側のほぼ平坦な面が、連動部材２５によって駆動される被駆動部としての機能を果たす。突起部３２の、回転方向前側の側面視略弧状の面が、リード１２を直接弾く発音体駆動部としての機能を果たす。押鍵行程において、連動部材２５が突起部３２の１つと係合し、係合した突起部３２を駆動する。するとロータリーピック３０が時計方向に回転していく。その際、係合した突起部３２とは対称位置にある突起部３２（別の突起部）がリード１２の先端部を弾く。押鍵終了状態から離鍵操作すると、連動部材２５は非押鍵位置に対応する初期位置へ復帰する。
【００２５】
この第１の変形例によれば、ロータリーピック３０が薄板形状であることからリード１２の配設ピッチＰ２の狭い発音ユニット１０の採用が容易になる。また、カム部３１とスプリング１９とが、ロータリーピック３０を、駆動による回転方向とは反対方向に回転しないようにするための逆転防止手段として機能するので、確実且つ適切な発音を行える。
【００２６】
図４は、第２の変形例の鍵盤楽器における駆動機構部Ｍ及び発音ユニット１０の模式的な側面図である。この第２の変形例は、第１の変形例（図３）に対し、ロータリーピック３０を回転駆動する回転体駆動部として、連動部材２５に代えてフレキシブルワイヤ３５を設ける。この第２の変形例では、駆動機構部Ｍにおいて、管体３４が、鍵Ｋの垂下部２３の近傍からロータリーピック３０の近傍まで配設されている。管体３４の位置や姿勢は固定されている。管体３４内に、撓むことができるフレキシブルワイヤ３５が挿通して延設されている。フレキシブルワイヤ３５の一端は垂下部２３に押圧されるように配置され、フレキシブルワイヤ３５の他端である先端３５ａは、ロータリーピック３０の突起部３２を駆動できる位置に配置される。
【００２７】
鍵Ｋの移動に伴って、フレキシブルワイヤ３５は管体３４内を摺動し、すなわち延設方向に変位する。鍵Ｋが押下操作されると、その押下力によって対応するフレキシブルワイヤ３５が変位し、フレキシブルワイヤ３５の先端３５ａが突起部３２を駆動してロータリーピック３０を回転させる。別の突起部３２によりリード１２の先端部を弾く動作については図３の例と同様である。この第２の変形例によれば、管体３４及びフレキシブルワイヤ３５を所望の配設経路で実装でき、フレキシブルワイヤ３５の先端３５ａの位置も自由に設定できるので、設計の自由度を高めることができる。
【００２８】
なお、駆動機構部Ｍとしては、例示した構成に限定されず、油圧、気圧等を用いた構成であってもよい。また、駆動機構部Ｍに含まれる発音体駆動部は、連動部材２５やフレキシブルワイヤ３５のように鍵Ｋと連動する部材に限定されず、鍵Ｋ自身の部位であってもよい。
【００２９】
なお、発音体としてリードを例示したが、これに限定されるものではなく、アコースティックな発音をするもの、例えば金属製や木製等の板状発音体も発音体に含まれる。
【００３０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３１】
１０  発音ユニット、  １１  基部、  １２  リード（発音体）、  ２５  連動部材（発音体駆動部、回転体駆動部）、  ３０  ロータリーピック（回転体）、  ３２  突起部（発音体駆動部）、  ３３  回転軸、  ３５  フレキシブルワイヤ、  ３５ａ  先端、  ＫＢ  鍵盤、  Ｋ  鍵、  Ｋａ  本体部、  Ｍ  駆動機構部、  Ｐ１、Ｐ２  配設ピッチ
【図１】
2018072706.tif 000003
【図２】
2018072706.tif 000004
【図３】
2018072706.tif 000005
【図４】
2018072706.tif 000006